(57)【要約】【課題】充分な洗浄効果を得つつ、洗浄作業の負担を軽減できる被洗浄面の洗浄方法を提供することを目的とする。【解決手段】トリガー式スプレー容器１から噴霧した液体洗浄剤により被洗浄面を洗浄する方法であって、トリガー式スプレー容器１を水平方向に動かしながら一吹きで、前記被洗浄面の水平方向における５０ｃｍ以上の範囲に前記液体洗浄剤を噴霧する噴霧工程と、前記被洗浄面における前記液体洗浄剤が噴霧された部分の少なくとも一部を擦らずに前記液体洗浄剤を濯ぎ流す濯ぎ工程と、を有する、被洗浄面の洗浄方法。【選択図】図１
2017225970.tif 000002
【特許請求の範囲】
【請求項１】
トリガー式スプレー容器から噴霧した液体洗浄剤により被洗浄面を洗浄する方法であって、
前記トリガー式スプレー容器を水平方向に動かしながら一吹きで、前記被洗浄面の水平方向における５０ｃｍ以上の範囲に前記液体洗浄剤を噴霧する噴霧工程と、
前記被洗浄面における前記液体洗浄剤が噴霧された部分の少なくとも一部を擦らずに前記液体洗浄剤を濯ぎ流す濯ぎ工程と、を有する、被洗浄面の洗浄方法。
【請求項２】
前記トリガー式スプレー容器の一吹きの前記液体洗浄剤の噴霧量が１．３ｍＬ以上である、請求項１に記載の被洗浄面の洗浄方法。
【請求項３】
前記被洗浄面における前記液体洗浄剤を一吹きで噴霧する範囲が、水平方向において５０〜１００ｃｍの範囲である、請求項１又は２に記載の被洗浄面の洗浄方法。
【請求項４】
前記噴霧工程の後、１０秒以上放置してから前記濯ぎ工程を行う、請求項１〜３のいずれか一項に記載の被洗浄面の洗浄方法。
【請求項５】
一吹き当たり０．３〜２．０秒で前記液体洗浄剤を噴霧する、請求項１〜４のいずれか一項に記載の被洗浄面の洗浄方法。
【請求項６】
前記トリガー式スプレー容器のトリガーの長さが５０〜１００ｍｍである、請求項１〜５のいずれか一項に記載の被洗浄面の洗浄方法。
【請求項７】
前記トリガー式スプレー容器の吐出口の口径が０．３〜１．０ｍｍである、請求項１〜６のいずれか一項に記載の被洗浄面の洗浄方法。
【請求項８】
前記液体洗浄剤が、（Ａ）成分：非石鹸系アニオン界面活性剤を含む界面活性剤と、（Ｂ）成分：グリコール系溶剤と、（Ｃ）成分：アミノカルボン酸型キレート剤と、（Ｄ）成分：アルカリ剤とを含有し、
前記液体洗浄剤の総質量に対して、前記（Ａ）成分が０．１〜５．０質量％であり、前記（Ｂ）成分が０．１〜５．０質量％であり、
前記（Ａ）成分に対する前記（Ｃ）成分の質量比Ｃ／Ａが０．６〜６．０であり、
２５℃におけるｐＨが１０．１以上１２．０未満である、請求項１〜７のいずれか一項に記載の被洗浄面の洗浄方法。
【発明の詳細な説明】
【技術分野】
【０００１】
本発明は、被洗浄面の洗浄方法に関する。
【背景技術】
【０００２】
浴槽の内壁面や底面には、例えば、脂肪酸金属塩、遊離脂肪酸、グリセライド、窒素化合物等の有機物、及び泥等の無機物が汚れとして付着する。これら汚れの洗浄には一般に液体洗浄剤が使われる。通常、液体洗浄剤をスポンジ等に含浸させて被洗浄面を擦り洗いするか、トリガー式スプレー容器により液体洗浄剤を被洗浄面に噴霧した後に擦り洗いする。しかし、擦り洗いをする洗浄方法は、作業負担が大きい。
【０００３】
作業負担を軽減する洗浄方法としては、例えば、擦り洗いが不要な液体洗浄剤を被洗浄面に付与し、擦らずに洗い流す方法が提案されている。例えば、液体洗浄剤を浴槽内の残り湯の液面に噴射し、該液面に液体洗浄剤を拡散させてから浴槽の栓を抜いて残り湯を排出し、液面上に広がった液体洗浄剤を該液面の降下とともに内壁面及び底面に付着させた後、シャワー等で洗い流す方法が知られている（特許文献１）。しかし、通常残り湯は浴槽一杯にはないため、特許文献１の方法では浴槽の内壁面の上部に液体洗浄剤を安定して付与することは困難であり、汚れが残りやすく、充分な洗浄効果が得られにくい。
【０００４】
また、トリガー式スプレー容器によって液体洗浄剤を泡状にして繰り返し噴霧し、被洗浄面全体に泡状の液体洗浄剤を付着させて、擦り洗いをせずに洗い流す方法も提案されている。しかし、被洗浄面全体に液体洗浄剤を付着させるためには、スプレーする回数が増えてしまう。これらのことから、洗浄作業の負担がより軽減された洗浄方法が求められている。
【先行技術文献】
【特許文献】
【０００５】
【特許文献１】特開２０００−１０９８９１号公報
【発明の概要】
【発明が解決しようとする課題】
【０００６】
本発明は、充分な洗浄効果を得つつ、洗浄作業の負担を軽減できる被洗浄面の洗浄方法を提供することを目的とする。
【課題を解決するための手段】
【０００７】
本発明は以下の構成を有する。
［１］トリガー式スプレー容器から噴霧した液体洗浄剤により被洗浄面を洗浄する方法であって、前記トリガー式スプレー容器を水平方向に動かしながら一吹きで、前記被洗浄面の水平方向における５０ｃｍ以上の範囲に前記液体洗浄剤を噴霧する噴霧工程と、前記被洗浄面における前記液体洗浄剤が噴霧された部分の少なくとも一部を擦らずに前記液体洗浄剤を濯ぎ流す濯ぎ工程と、を有する、被洗浄面の洗浄方法。
［２］前記トリガー式スプレー容器の一吹きの前記液体洗浄剤の噴霧量が１．３ｍＬ以上である、［１］に記載の被洗浄面の洗浄方法。
［３］前記被洗浄面における前記液体洗浄剤を一吹きで噴霧する範囲が、水平方向において５０〜１００ｃｍの範囲である、［１］又は［２］に記載の被洗浄面の洗浄方法。
［４］前記噴霧工程の後、１０秒以上放置してから前記濯ぎ工程を行う、［１］〜［３］のいずれかに記載の被洗浄面の洗浄方法。
［５］一吹き当たり０．３〜２．０秒で前記液体洗浄剤を噴霧する、［１］〜［４］のいずれかに記載の被洗浄面の洗浄方法。
［６］前記トリガー式スプレー容器のトリガーの長さが５０〜１００ｍｍである、［１］〜［５］のいずれかに記載の被洗浄面の洗浄方法。
［７］前記トリガー式スプレー容器の吐出口の口径が０．３〜１．０ｍｍである、［１］〜［６］のいずれかに記載の被洗浄面の洗浄方法。
［８］前記液体洗浄剤が、（Ａ）成分：非石鹸系アニオン界面活性剤を含む界面活性剤と、（Ｂ）成分：グリコール系溶剤と、（Ｃ）成分：アミノカルボン酸型キレート剤と、（Ｄ）成分：アルカリ剤とを含有し、前記液体洗浄剤の総質量に対して、前記（Ａ）成分が０．１〜５．０質量％であり、前記（Ｂ）成分が０．１〜５．０質量％であり、前記（Ａ）成分に対する前記（Ｃ）成分の質量比Ｃ／Ａが０．６〜６．０であり、２５℃におけるｐＨが１０．１以上１２．０未満である、［１］〜［７］のいずれかに記載の被洗浄面の洗浄方法。
【発明の効果】
【０００８】
本発明の被洗浄面の洗浄方法によれば、充分な洗浄効果を得つつ、洗浄作業の負担を軽減できる。
【図面の簡単な説明】
【０００９】
【図１】本発明の被洗浄面の洗浄方法に用いるトリガー式スプレー容器の一例を示した正面図である。
【発明を実施するための形態】
【００１０】
本発明の被洗浄面の洗浄方法は、トリガー式スプレー容器から噴霧した液体洗浄剤により被洗浄面を洗浄する方法である。被洗浄面としては、例えば、浴槽の内壁面や底面、浴室の壁面や床等が挙げられる。本発明の被洗浄面の洗浄方法は、浴室及び浴槽の洗浄に特に有効である。
【００１１】
［トリガー式スプレー容器］
本発明の被洗浄面の洗浄方法においては、トリガー式スプレー容器は公知の機構のものが使用でき、直圧型であっても蓄圧型であってもよい。以下、本発明の被洗浄面の洗浄方法に用いるトリガー式スプレー容器の一例を示して説明する。トリガー式スプレー容器の例としては、例えば、特開平１０−１４６５４６号公報、特開２０００−２４５６１号公報に記載のものが挙げられる。
【００１２】
本実施形態のトリガー式スプレー容器１は、図１に示すように、上部開口端が形成された口頸部１２を備える容器本体１０と、口頸部１２に装着された噴射部１４とを備えている。噴射部１４は、キャップ部１６と、噴出部本体１８と、ノズル部２０と、トリガー２２とを備えている。
【００１３】
キャップ部１６は、容器本体１０の口頸部１２に螺合装着できるようになっている。
噴出部本体１８は、キャップ部１６上に設けられた基部１８ａと、基部１８ａから前方に突き出た突出部１８ｂと、基部１８ａの側面から前方に突き出るように設けられた往復ポンプ１８ｃと、を備えている。噴出部本体１８の基部１８ａの内部には、容器本体１０に噴射部１４が装着された状態で容器本体１０内に延びる吸上げパイプ（図示略）と、吸上げパイプで吸い上げた液体洗浄剤を一旦貯留するシリンダ（図示略）と、が備えられている。
【００１４】
ノズル部２０は、噴出部本体１８の突出部１８ｂの先端に取り付けられている。ノズル部２０の先端面には吐出口２０ａが形成され、吐出口２０ａの周囲には筒状のカバー部２０ｂが形成されている。
トリガー２２は、噴出部本体１８の突出部１８ｂにおけるノズル部２０が取り付けられたよりも後方から下方に延びるように設けられている。
【００１５】
トリガー式スプレー容器１では、往復ポンプ１８ｃのプランジャ１８ｄの先端がトリガー２２に当接しており、ばね（図示略）によってプランジャ１８ｄが前方に付勢されている。容器本体１０内に液体洗浄剤を収容したトリガー式スプレー容器１の使用時には、トリガー２２を噴出部本体１８の基部１８ａ側に引くことで、往復ポンプ１８ｃが作動し、容器本体１０から既に吸い上げられていたシリンダ内の液体洗浄剤がノズル部２０の吐出口２０ａから噴霧される。そして、引かれたトリガー２２が元の位置に戻る際に、往復ポンプ１８ｃが作動して、容器本体１０内から液体洗浄剤がシリンダへと吸い上げられて貯留される。
【００１６】
トリガー式スプレー容器のトリガーの１ストローク当たりの液体洗浄剤の噴霧量、すなわち一吹き当たりの噴霧量は、１．３ｍＬ以上が好ましく、１．７〜２．５ｍＬがより好ましい。前記噴霧量が下限値以上であれば、一吹きでより広範囲に液体洗浄剤を噴霧できるため、被洗浄面全体が液体洗浄剤で濡れるように噴霧するために必要なストローク回数がより少なくなり、洗浄作業の負担が軽減される。前記噴霧量が上限値以下であれば、トリガーが過度に重くなって負担が増大することを抑制しやすい。
なお、１ストロークとは、トリガーが引かれていない状態から、該トリガーを最後まで引き、該トリガーが元の位置に戻るまでの一往復を意味する。
【００１７】
トリガー式スプレー容器におけるシリンダの容量は、１．３ｍＬ以上が好ましく、１．７〜２．５ｍＬがより好ましい。シリンダの容量が下限値以上であれば、一吹き当たりの噴霧量を充分に確保しやすいため、被洗浄面全体が液体洗浄剤で濡れるように噴霧するために必要なストローク回数がより少なくなり、洗浄作業の負担が軽減される。シリンダの容量が上限値以下であれば、トリガーが過度に重くなって負担が増大することを抑制しやすい。
【００１８】
トリガー式スプレー容器のトリガーの長さ、例えばトリガー２２の長さＬは、５０〜１００ｍｍが好ましく、７０〜９０ｍｍがより好ましく、７５ｍｍ〜８５ｍｍがより好ましい。トリガーの長さが下限値以上であれば、トリガーを引いた際に充分な量の液体洗浄剤が噴霧されやすい。そのため、被洗浄面全体が液体洗浄剤で濡れるように噴霧するために必要なストローク回数がより少なくなり、洗浄作業の負担が軽減される。トリガーの長さが上限値以下であれば、ストロークの距離が長くなりすぎることを抑制できるため、トリガーが握りやすくなり、トリガーを引く際の負担が軽減される。
なお、トリガーの長さとは、トリガーを引いていない状態における該トリガーの上端と下端との距離を意味する。
【００１９】
トリガー式スプレー容器におけるノズル部の吐出口の口径、例えば吐出口２０ａの口径ｄは、０．３〜１．０ｍｍが好ましく、０．４〜０．６ｍｍがより好ましい。吐出口の口径が前記範囲内であれば、良好な噴霧性が得られやすく、噴霧ムラが生じて洗浄力が低下することを抑制しやすい。
【００２０】
［液体洗浄剤］
本発明の洗浄方法に用いる液体洗浄剤としては、（Ａ）成分：非石鹸系アニオン界面活性剤を含む界面活性剤と、（Ｂ）成分：グリコール系溶剤と、（Ｃ）成分：アミノカルボン酸型キレート剤と、（Ｄ）成分：アルカリ剤とを含有する液体洗浄剤が好ましい。該液体洗浄剤は、浴室、浴槽の洗浄に特に有効である。
【００２１】
（（Ａ）成分）
（Ａ）成分は、非石鹸系アニオン界面活性剤を含む界面活性剤であり、液体洗浄剤に洗浄力を付与する成分である。非石鹸系アニオン界面活性剤とは、炭素数８〜２４の飽和又は不飽和脂肪酸塩（いわゆる石鹸）を除くアニオン界面活性剤である。（Ａ）成分は、非石鹸系アニオン界面活性剤のみからなるものであってもよく、非石鹸系アニオン界面活性剤とこれ以外の他の界面活性剤とからなるものであってもよい。より優れた洗浄力を得やすい点では、（Ａ）成分は非石鹸系アニオン界面活性剤のみからなることが好ましい。
【００２２】
非石鹸系アニオン界面活性剤としては、例えば、直鎖アルキルベンゼンスルホン酸塩（ＬＡＳ）；直鎖又は分岐鎖のアルキル硫酸塩（ＡＳ）；アルキルエーテル硫酸塩又はアルケニルエーテル硫酸塩（ＡＥＳ）；α−オレフィンスルホン酸塩（ＡＯＳ）；アルキル基を有するアルカンスルホン酸塩；α−スルホ脂肪酸エステル塩（α−ＳＦ）；アルキルエーテルカルボン酸塩、ポリオキシアルキレンエーテルカルボン酸塩、アルキル（又はアルケニル）アミドエーテルカルボン酸塩、アシルアミノカルボン酸塩等のカルボン酸型のアニオン界面活性剤；アルキルリン酸エステル塩、ポリオキシアルキレンアルキルリン酸エステル塩、ポリオキシアルキレンアルキルフェニルリン酸エステル塩、グリセリン脂肪酸エステルモノリン酸エステル塩等のリン酸エステル型のアニオン界面活性剤等が挙げられる。
これらの塩としては、ナトリウム、カリウム等のアルカリ金属塩；マグネシウム等のアルカリ土類金属塩；モノエタノールアミン塩、ジエタノールアミン塩、トリエタノールアミン塩等のアルカノールアミン塩；アンモニウム塩等が挙げられる。これらの中でも、アルカリ金属塩が好ましい。
【００２３】
直鎖アルキルベンゼンスルホン酸塩としては、直鎖アルキル基の炭素数が８〜１６のものが好ましく、炭素数１０〜１４のものがより好ましい。
アルキル硫酸塩としては、炭素数１０〜２０のものが好ましく、炭素数１０〜１６のものがより好ましい。
アルキルエーテル硫酸塩又はアルケニルエーテル硫酸塩としては、炭素数１０〜２０の直鎖又は分岐鎖のアルキル基もしくはアルケニル基を有し、平均１〜１０モルのエチレンオキシドを付加したポリオキシエチレンアルキルエーテル硫酸塩又はポリオキシエチレンアルケニルエーテル硫酸塩が好ましい。
α−オレフィンスルホン酸塩としては、炭素数１０〜２０のものが好ましく、炭素数１０〜１６のものがより好ましい。
アルカンスルホン酸塩としては、炭素数１０〜２０、好ましくは１４〜１７のアルキル基を有する２級アルカンスルホン酸塩が好ましい。
α−スルホ脂肪酸エステル塩としては、炭素数１０〜２０、好ましくは炭素数１０〜１８のα−スルホ脂肪酸エステル塩が好ましい。
ポリオキシアルキレンエーテルカルボン酸塩としては、炭素数１０〜２０の直鎖又は分岐鎖のアルキル基もしくはアルケニル基を有し、平均１〜１０モルのエチレンオキシドを付加したポリオキシエチレンアルキルエーテルカルボン酸塩又はポリオキシエチレンアルケニルエーテルカルボン酸塩が好ましい。
【００２４】
非石鹸系アニオン界面活性剤としては、皮脂・タンパク汚れに対する洗浄力に優れる点から、炭素数１０〜２０のα−オレフィンスルホン酸塩、炭素数１０〜２０のアルキルベンゼンスルホン酸塩、炭素数１０〜２０のアルキル硫酸エステル塩、及び炭素数１０〜２０のα−スルホ脂肪酸エステル塩から選択される１種以上が好ましく、炭素数１０〜２０のα−オレフィンスルホン酸塩がより好ましく、炭素数１０〜１６のα−オレフィンスルホン酸塩が特に好ましい。非石鹸系アニオン界面活性剤としては、１種を単独で使用してもよく、２種以上を併用してもよい。
【００２５】
非石鹸系アニオン界面活性剤以外の他の界面活性剤としては、例えば、高級脂肪酸塩、カチオン界面活性剤、両性界面活性剤、非イオン界面活性剤等が挙げられる。
高級脂肪酸塩としては、例えば、ラウリン酸塩、ミリスチン酸塩、ステアリン酸塩等の炭素数８〜２４の飽和又は不飽和脂肪酸塩、又は、これらの混合物であるヤシ油脂肪酸塩、硬化ヤシ油脂肪酸塩、パーム油脂肪酸塩、硬化パーム油脂肪酸塩、牛脂脂肪酸塩、硬化牛脂脂肪酸塩等が挙げられる。これらの塩としては、ナトリウム、カリウム等のアルカリ金属塩、マグネシウム等のアルカリ土類金属塩、モノエタノールアミン塩、ジエタノールアミン塩、トリエタノールアミン塩などのアルカノールアミン塩、アンモニウム塩等が挙げられる。
【００２６】
カチオン界面活性剤としては、例えば、アルキルトリメチルアンモニウム塩、ジアルキルジメチルアンモニウム塩、ベンザルコニウム塩、ベンゼトニウム塩、ピリジニウム塩、イミダゾリウム塩等が挙げられる。これらの塩の対イオンとしては、ハロゲンイオン等が挙げられる。
両性界面活性剤としては、例えば、アルキルカルボキシベタイン、アルキルスルホベタイン、アルキルヒドロキシスルホベタイン、アルキルアミドベタイン、イミダゾリニウムベタイン等が挙げられる。
【００２７】
非イオン界面活性剤としては、例えば、高級アルコール、アルキルフェノール、高級脂肪酸又は高級アミン等にアルキレンオキシドを付加したポリオキシアルキレン型ノニオン界面活性剤、ポリオキシエチレンポリオキシプロピレンブロックコポリマー、脂肪酸アルカノールアミド、多価アルコール脂肪酸エステル又はそのアルキレンオキシド付加体、脂肪酸ポリグリセリンエステル、糖脂肪酸エステル、アルキル（又はアルケニル）アミンオキシド、アミドアミンオキシド、硬化ヒマシ油のアルキレンオキシド付加体、Ｎ−アルキルポリヒドロキシ脂肪酸アミド、アルキルグリコシド、アルキルポリグリコシド、グリセリルエーテル等が挙げられる。
他の界面活性剤としては、１種を単独で使用してもよく、２種以上を併用してもよい。
【００２８】
（（Ｂ）成分）
（Ｂ）成分は、グリコール系溶剤である。グリコール系溶剤としては、下記一般式（Ｉ）で表される化合物から選択されるものが好ましい。
Ｒ１−Ｏ−（Ｃ２Ｈ４Ｏ）ｘ−（Ｃ３Ｈ６Ｏ）ｙ−Ｒ２  ・・・（Ｉ）
ただし、式（Ｉ）中、Ｒ１及びＲ２は、それぞれ独立して水素原子、炭素数１〜６のアルキル基もしくはアルケニル基、フェニル基又はベンジル基である。ｘはオキシエチレン基の平均繰り返し数を表す数であり、ｙはオキシプロピレン基の平均繰り返し数を表す数である。ｘとｙはそれぞれ０〜５であり、ｘとｙが同時に０になることはない。
【００２９】
ｘは、１〜３が好ましく、１又は２が特に好ましい。
ｙは、０〜２が好ましい。
【００３０】
（Ｂ）成分としては、例えば、エチレングリコール、ジエチレングリコール、トリエチレングリコール等のエチレングリコール系溶剤；プロピレングリコール、ジプロピレングリコール、トリプロピレングリコール、イソプレングリコール等のプロピレングリコール系溶剤；エチレングリコールモノメチルエーテル、エチレングリコールモノエチルエーテル、エチレングリコールモノプロピルエーテル、エチレングリコールモノブチルエーテル、エチレングリコールモノヘキシルエーテル、エチレングリコールモノフェニルエーテル、ジエチレングリコールモノメチルエーテル、ジエチレングリコールモノエチルエーテル、ジエチレングリコールモノプロピルエーテル、ジエチレングリコールモノブチルエーテル、ジエチレングリコールモノベンジルエーテル等のエチレングリコール系エーテル類；プロピレングリコールモノメチルエーテル、プロピレングリコールモノエチルエーテル、プロピレングリコールモノプロピルエーテル、プロピレングリコールモノブチルエーテル、ジプロピレングリコールモノメチルエーテル、ジプロピレングリコールモノエチルエーテル、ジプロピレングリコールモノプロピルエーテル、ジプロピレングリコールモノブチルエーテル等のプロピレングリコール系エーテル類；エチレングリコールジメチルエーテル、ジエチレングリコールジメチルエーテル、ジエチレングリコールメチルエチルエーテル、プロピレングリコールメチルエチルエーテル、ジプロピレングリコールメチルエチルエーテル等のジアルキルグリコールエーテル系溶剤等が挙げられる。
【００３１】
（Ｂ）成分としては、ジエチレングリコールモノブチルエーテル、ジエチレングリコールモノベンジルエーテル、エチレングリコールモノフェニルエーテル、プロピレングリコールモノプロピルエーテル、エチレングリコールモノヘキシルエーテルが好ましく、ジエチレングリコールモノブチルエーテルが好ましい。
（Ｂ）成分としては、１種を単独で使用してもよく、２種以上を併用してもよい。
【００３２】
（（Ｃ）成分）
（Ｃ）成分は、アミノカルボン酸型キレート剤である。後述のように２５℃におけるｐＨが１０．１以上１２．０未満のアルカリ条件下で（Ｃ）成分を用いることで、（Ａ）成分の含有量が少なくても、浴槽等に付着した脂肪酸金属塩、皮脂・タンパク汚れに対する洗浄力を高められる。
【００３３】
（Ｃ）成分としては、例えば、メチルグリシンジ酢酸（ＭＧＤＡ）、アスパラギン酸ジ酢酸（ＡＳＤＡ）、イソセリンジ酢酸（ＩＳＤＡ）、β−アラニンジ酢酸（ＡＤＡＡ）、セリンジ酢酸（ＳＤＡ）、グルタミン酸ジ酢酸（ＧＬＤＡ）、イミノジコハク酸（ＩＤＳ）、ヒドロキシイミノジコハク酸（ＨＩＤＳ）、エチレンジアミン四酢酸（ＥＤＴＡ）、Ｎ−ラウロイルエチレンジアミン三酢酸、ニトリロトリ酢酸（ＮＴＡ）、ジエチレントリアミン五酢酸（ＤＴＰＡ）、ヒドロキシエチレンジアミン三酢酸（ＨＥＤＴＡ）、トリエチレンテトラアミン六酢酸（ＴＴＨＡ）、１，３−プロパンジアミン四酢酸（ＰＤＴＡ）、１，３−ジアミノ−２−ヒドロキシプロパン四酢酸（ＤＰＴＡ−ＯＨ）、ヒドロキシエチレンイミノジ酢酸（ＨＩＤＡ）、ジヒドロキシエチルグリシン（ＤＨＥＧ）、グリコールエーテルジアミン四酢酸（ＧＥＤＴＡ）、ジカルボキメチルグルタミン酸（ＣＭＧＡ）、（Ｓ，Ｓ）−エチレンジアミンジコハク酸（ＥＤＤＳ）又はこれらの塩等が挙げられる。
【００３４】
（Ｃ）成分としては、ＥＤＴＡ、ＨＥＤＴＡ、ＤＨＥＧ、ＨＩＤＡ、ＤＴＰＡが好ましく、ＥＤＴＡが特に好ましい。
（Ｃ）成分としては、１種を単独で使用してもよく、２種以上を併用してもよい。
【００３５】
（任意成分）
液体洗浄剤は、（Ａ）〜（Ｃ）成分以外の任意成分を含有してもよい。液体洗浄剤は、液体洗浄剤の調製しやすい点、及び濯ぎの際に水に容易に溶解する点から、溶媒として水を含有することが好ましい。
任意成分としては、液体洗浄剤に通常使用される成分を使用でき、例えば、殺菌剤、防腐剤、抗カビ剤、色素、酸化防止剤、増粘剤、紫外線吸収剤、可溶化剤（ただし（Ｂ）成分は除く。）、香料、ｐＨ調整剤等が挙げられる。
【００３６】
ｐＨ調整剤としては、例えば、塩酸、硫酸等の無機酸、クエン酸、コハク酸、リンゴ酸、フマル酸、酒石酸、マロン酸、マレイン酸、ｐ−トルエンスルホン酸等の酸剤；水酸化ナトリウム、水酸化カリウム、炭酸ナトリウム、炭酸カリウム、アンモニア及びその誘導体、モノエタノールアミン、ジエタノールアミン、トリエタノールアミン等のアルカリ剤が挙げられる。なかでも、塩酸、硫酸及びクエン酸からなる群から選ばれる１種以上の酸剤、又は、水酸化ナトリウム及び水酸化カリウムからなる群から選ばれる１種以上のアルカリ剤が好ましい。
ｐＨ調整剤としては、１種を単独で使用してもよく、２種以上を併用してもよい。
【００３７】
（各成分の割合）
液体洗浄剤中の（Ａ）成分の含有量は、液体洗浄剤の総質量に対して、０．１〜５．０質量％であり、１．０〜３．０質量％が好ましい。（Ａ）成分の含有量が、下限値以上であれば、充分な洗浄力が得られる。（Ａ）成分の含有量が、上限値以下であれば、良好な濯ぎ性が得られる。
【００３８】
液体洗浄剤中の非石鹸系アニオン界面活性剤の含有量は、液体洗浄剤の総質量に対して、０．１〜５．０質量％が好ましく、１．０〜３．０質量％がより好ましい。非石鹸系アニオン界面活性剤の含有量が、下限値以上であれば、充分な洗浄力が得られる。非石鹸系アニオン界面活性剤の含有量が、上限値以下であれば、良好な濯ぎ性が得られる。
（Ａ）成分中の非石鹸系アニオン界面活性剤の割合は、５０〜１００質量％が好ましく、８０〜１００質量％がより好ましい。前記割合が前記範囲内であれば、良好な洗浄力が得られやすくなる。
【００３９】
液体洗浄剤中の（Ｂ）成分の含有量は、液体洗浄剤の総質量に対して、０．１〜５．０質量％であり、１．０〜３．０質量％が好ましい。（Ｂ）成分の含有量が、下限値以上であれば、良好な洗浄力が得られる。（Ｂ）成分の含有量が上限値以下であれば、良好なすすぎ性が得られる。
【００４０】
液体洗浄剤中の（Ａ）成分と（Ｂ）成分の合計含有量は、液体洗浄剤の総質量に対して、０．５〜８．０質量％が好ましい。前記合計含有量が下限値以上であれば、洗浄力をより高められる。前記合計含有量が上限値以下であれば、濯ぎ性をより高められる。
【００４１】
液体洗浄剤中の（Ｃ）成分の含有量は、液体洗浄剤の総質量に対して、０．２〜５．０質量％が好ましく、１．５〜４．０質量％がより好ましい。（Ｃ）成分の含有量が下限値以上であれば、洗浄力がより高められる。（Ｃ）成分の含有量が上限値以下であれば、濯ぎ性が向上する。
【００４２】
（Ａ）成分に対する前記（Ｃ）成分の質量比Ｃ／Ａは、０．６〜６．０であり、０．６〜５．０が好ましく、０．６〜３．０がより好ましい。質量比Ｃ／Ａが前記範囲内であれば、（Ａ）成分の含有量が少なくても、浴槽等に付着した脂肪酸金属塩、皮脂・タンパク汚れに対する優れた洗浄力が得られ、かつ、良好な濯ぎ性が得られる。特に被洗浄面を擦らずに洗浄するには被洗浄面全てに液体洗浄剤を噴霧する必要があるため、液体洗浄剤の使用量が増加する。質量比Ｃ／Ａが前記範囲内であれば、洗浄剤の使用量が多くても良好な濯ぎ性が得られる。
（Ｂ）成分に対する（Ｃ）成分の質量比Ｂ／Ｃは、０．０１〜４．０が好ましく、０．４〜３．０がより好ましい。質量比Ｂ／Ｃが前記範囲内であれば、洗浄力をより高められる。
【００４３】
液体洗浄剤が水を含有する場合、液体洗浄剤中の水の含有量は、液体洗浄剤の総質量に対して、５０〜９９．５質量％が好ましく、７０〜９９質量％がより好ましく、７５〜９８質量％がさらに好ましい。
【００４４】
（ｐＨ、粘度）
液体洗浄剤の２５℃におけるｐＨは、１０．１以上１２．０未満であり、１０．１〜１１．４が好ましく、ｐＨ１０．４〜１１．４がさらに好ましい。前記範囲のｐＨで（Ａ）〜（Ｃ）成分を前記した比率で用いることで、浴槽等に付着した脂肪酸金属塩、皮脂・タンパク汚れに対して良好な洗浄力が得られる。
なお、液体洗浄剤のｐＨは、ＪＩＳ  Ｚ８８０２：２０１１によって２５℃において測定した値である。
【００４５】
液体洗浄剤の２５℃における粘度は、１〜１００ｍＰａ・ｓが好ましく、１〜５０ｍＰａ・ｓがより好ましい。粘度が下限値以上であれば、被洗浄面に対する液体洗浄剤の付着性が向上する。粘度が上限値以下であれば、液体洗浄剤の噴霧が容易になり、取り扱い性に優れる。
【００４６】
（液体洗浄剤の製造方法）
液体洗浄剤の製造方法は、特に限定されず、従来公知の製造方法を採用できる。例えば、溶媒である水に、（Ａ）〜（Ｃ）成分を添加し、必要に応じて任意成分を加え、これを混合する方法等が挙げられる。
【００４７】
［被洗浄面の洗浄方法］
以下、被洗浄面の洗浄方法について説明する。本発明の被洗浄面の洗浄方法は、下記の噴霧工程と濯ぎ工程とを有する。
噴霧工程：トリガー式スプレー容器を水平方向に動かしながら一吹きで、被洗浄面の水平方向における５０ｃｍ以上の範囲に液体洗浄剤を噴霧する。
濯ぎ工程：被洗浄面における液体洗浄剤が噴霧された部分の少なくとも一部を擦らずに液体洗浄剤を濯ぎ流す。
【００４８】
（噴霧工程）
噴霧工程では、トリガー式スプレー容器を水平方向に動かしながら一吹きで、浴槽の内壁面や底面等の被洗浄面の水平方向における５０ｃｍ以上の範囲に液体洗浄剤を噴霧する。このように、一吹きで被洗浄面における水平方向の５０ｃｍ以上の広範囲に液体洗浄剤を噴霧することで、被洗浄面全体が液体洗浄剤で濡れるようにするために必要なトリガーのストローク回数を低減することができ、洗浄作業の負担が軽減される。
【００４９】
被洗浄面における液体洗浄剤を一吹きで噴霧する範囲が、水平方向において、５０〜１００ｃｍが好ましく、６５〜８５ｃｍがより好ましい。一吹きでの水平方向の噴霧範囲が下限値以上であれば、被洗浄面全体が液体洗浄剤で濡れるようにするために必要なトリガーのストローク回数を低減することができ、洗浄作業の負担が軽減される。一吹きでの水平方向の噴霧範囲が上限値以下であれば、被洗浄面に噴霧された液体洗浄剤にムラが生じにくく、液体洗浄剤が部分的に付着していない箇所に再び噴霧を行うことでトリガーのストローク回数が増えることを抑制できる。
【００５０】
被洗浄面の上下方向におけるトリガー式スプレー容器からの一吹きでの液体洗浄剤の噴霧範囲は、特に限定されず、トリガー式スプレー容器に応じて決まる。被洗浄面の上下方向における一吹きでの噴霧範囲は、５０〜１００ｃｍが好ましく、６５〜８５ｃｍがより好ましい。一吹きでの上下方向の噴霧範囲が下限値以上であれば、被洗浄面全体が液体洗浄剤で濡れるようにするために必要なトリガーのストローク回数を低減することができ、洗浄作業の負担が軽減される。一吹きでの上下方向の噴霧範囲が上限値以下であれば、被洗浄面に噴霧された液体洗浄剤にムラが生じにくいため、洗浄作業の負担が軽減される。
【００５１】
被洗浄面が浴槽の内壁面及び底面である場合、例えば、以下のように液体洗浄剤の噴霧を行う。まず、トリガー式スプレー容器を水平方向に動かしながら、内壁面の上部における水平方向の５０ｃｍ以上の範囲に液体洗浄剤を一吹きで噴霧する作業を、４つの各内壁面の上部を１周するように複数回行う。次いで、トリガー式スプレー容器を水平方向に動かしながら、内壁面の下部における水平方向の５０ｃｍ以上の範囲に液体洗浄剤を一吹きで噴霧する作業を、４つの各内壁面の下部を１周するように複数回行う。次いで、トリガー式スプレー容器を水平方向に動かしながら、底面における水平方向の５０ｃｍ以上の範囲に液体洗浄剤を一吹きで噴霧する作業を、底面全体が液体洗浄剤で濡れるように複数回行う。このように浴槽の内壁面のように上下方向に広い被洗浄面に対しては、上下方向に噴霧する範囲を区切って噴霧を行うことで、液体洗浄剤のカケムラが生じることを容易に抑制できる。なお、上記の例では内壁面を上下２段に分けて噴霧する例を説明したが、トリガー式スプレー容器の上下方向の噴霧範囲によっては、上下方向に３段以上に分けて噴霧してもよい。
【００５２】
液体洗浄剤の噴霧において、トリガーの１ストローク当たりの秒数、すなわち一吹き当たりの秒数は、０．３〜２．０秒が好ましく、０．５〜２．０秒がより好ましく、０．５〜１．５秒がさらに好ましく、０．７〜１．３秒が特に好ましい。トリガーの１ストローク当たりの秒数が下限値以上であれば、トリガーを引ききることが容易になる。トリガーの１ストローク当たりの秒数が上限値以下であれば、液体洗浄剤の吐出の勢いが充分に確保されるため、液体洗浄剤が充分に霧状となりやすく、また噴霧した液体洗浄剤が被洗浄面まで届きやすい。そのため、噴霧作業をやり直すことが減るため、洗浄作業の負担増加を抑制しやすい。
【００５３】
噴霧作業においては、トリガー式スプレー容器を把持した側の肘を曲げずに伸ばした状態で、トリガー式スプレー容器を水平方向に動かしながら噴霧を行うことが好ましい。これにより、噴霧作業における負担をより軽減できる。
【００５４】
（濯ぎ工程）
噴霧工程の後、濯ぎ工程において、被洗浄面における液体洗浄剤が噴霧された部分の少なくとも一部を擦らずに、水道水等で液体洗浄剤を濯ぎ流す。本発明では、被洗浄面における液体洗浄剤が噴霧された部分の少なくとも一部を擦らなくても被洗浄面が充分に洗浄されるため、洗浄作業の負担が軽減される。洗浄作業の負担軽減の点では、被洗浄面における液体洗浄剤が噴霧された部分の全てを擦らずに液体洗浄剤を濯ぎ流すことが好ましい。なお、被洗浄面において特に汚れている箇所がある場合等は、被洗浄面における液体洗浄剤が噴霧された部分の一部を擦り洗いしてから液体洗浄剤を濯ぎ流してもよい。
【００５５】
被洗浄面に液体洗浄剤を噴霧してから濯ぎ流すまでの放置時間は、液体洗浄剤の種類に応じて適宜設定すればよく、１０秒以上が好ましく、１０秒〜１０分がより好ましく、１分〜５分が特に好ましい。放置時間が下限値以上であれば、充分な洗浄力が得られやすい。放置時間が上限値以下であれば、充分な濯ぎ性が得られやすい。
【００５６】
以上説明した本発明の被洗浄面の洗浄方法においては、被洗浄面に液体洗浄剤を噴霧して付着させた後に濯ぎ流すことで、被洗浄面を充分に洗浄できる。
また、本発明では、液体洗浄剤を噴霧する際に、トリガー式スプレー容器を水平方向に動かしながら一吹きで、被洗浄面の水平方向における５０ｃｍ以上の範囲に液体洗浄剤を噴霧する。これにより、狭い範囲に液体洗浄剤を噴霧する作業を繰り返す場合に比べて、被洗浄面全体に液体洗浄剤を付与するために必要なトリガーのストローク回数が少なくなるため、噴霧作業の負担が軽減される。また、本発明では、液体洗浄剤を噴霧した後に、噴霧した部分の少なくとも一部を擦らずに液体洗浄剤を濯ぎ流すため、擦り洗いの負担も軽減される。これらのことから、本発明の被洗浄面の洗浄方法では、洗浄作業の負担が大きく軽減される。
【実施例】
【００５７】
以下、実施例によって本発明を詳細に説明するが、本発明は以下の記載によっては限定されない。
［液体洗浄剤］
本実施例に使用した液体洗浄剤の組成を以下に示す。
（液体洗浄剤α）
・αオレフィンスルホン酸ナトリウム：２．５質量％
（ライオン株式会社製、商品名「リポランＬＪ４４１」）
・ジエチレングリコールモノブチルエーテル：１．５質量％
（関東化学株式会社製）
・エチレンジアミン四酢酸二ナトリウム：２．５質量％
（アクゾノーベル社製、商品名「ディゾルビンＮＡ２」）
・ミリスチン酸カリウム：１．０質量％
（日油株式会社製、商品名「ノンサールＭＫ−１」）
・ｐＨ調整剤：水酸化ナトリウム、塩酸
・水  ：  バランス
ｐＨ（２５℃）：１０．７
なお、「バランス」とは、液体洗浄剤を１００質量％とするのに必要な量を意味する。
【００５８】
（液体洗浄剤β）
・ジエチレングリコールモノブチルエーテル：８．０質量％
（関東化学株式会社製）
・直鎖アルキルベンゼンスルホン酸ナトリウム：４．０質量％
（ライオン株式会社製、商品名「ライポンＰＳ２３０」）
・ヤシ油脂肪酸カリウム：２．５質量％
（日油株式会社製、商品名「ノンサールＬＫ−５」）
・ミリスチン酸カリウム：０．５質量％
（日油株式会社製、商品名「ノンサールＭＫ−１」）
・エチレンジアミン四酢酸二ナトリウム：３．０質量％
（アクゾノーベル社製、商品名「ディゾルビンＮＡ２」）
・ｎ−ドデシルジメチルアミンオキシド：１．０質量％
（ライオン・スペシャリティ・ケミカルズ株式会社製、商品名「カデナックスＤＭ１２−Ｄ−Ｗ（Ｃ）」）
・クエン酸：１．０質量％
（関東化学株式会社製）
・ｐＨ調整剤：水酸化ナトリウム、塩酸
・水：バランス
・ｐＨ（２５℃）：７．７
【００５９】
（液体洗浄剤γ）
・ジエチレングリコールモノブチルエーテル：５．０質量％
（関東化学株式会社製）
・エチレンジアミン四酢酸二ナトリウム：３．０質量％
（アクゾノーベル社製、商品名「ディゾルビンＮＡ２」）
・ラウリン酸アミドプロピルベタイン：１．５質量％
（ライオン株式会社製、商品名「エナジコールＬ−３０Ｂ」）
・Ｃ１２ポリオキシエチレンアルキルエーテル硫酸ナトリウム：１．５質量％
（新日本理化株式会社製、商品名「シノリンＳＰＥ−１２５０」）
・ヤシ油脂肪酸カリウム：１．０質量％
（日油株式会社製、商品名「ノンサールＬＫ−５」）
・クエン酸：１．０質量％
（関東化学株式会社製）
ｐＨ調整剤：水酸化ナトリウム、塩酸
水：バランス
ｐＨ（２５℃）：７．０
【００６０】
［実施例１］
図１に例示したトリガー式スプレー容器１を用いた。トリガー式スプレー容器１における一吹きの噴霧量は２ｍＬ、トリガーの長さは８２ｍｍ、吐出口の口径は０．５５ｍｍとした。
トリガー式スプレー容器１に液体洗浄剤αを収容した。次いで、成人男性３名がそれぞれ１回入浴し、汚れが付着した浴槽の内側の被洗浄面に対し、トリガー式スプレー容器１を水平方向に動かしながら、該被洗浄面の水平方向における７０ｃｍの範囲に液体洗浄剤αを一吹きで噴霧する作業を複数回行い、被洗浄面全体にカケ残しがないように液体洗浄剤αを噴霧した。一吹き当たりの噴霧時間は１秒とした。噴霧後、擦らずに１分間放置してから、液体洗浄剤αを水道水（１５℃、流量０．２Ｌ／秒）で濯ぎ流した。
【００６１】
［実施例２〜２０］
トリガー式スプレー容器１の一吹き当たりの噴霧量、トリガーの長さ、吐出口の口径、一吹き当たりの噴霧時間、被洗浄面の水平方向における一吹きでの噴霧範囲、噴霧後の放置時間、及び液体洗浄剤の種類を表１及び表２に示すように変更した以外は、実施例１と同様にして浴槽内の被洗浄面を洗浄した。
【００６２】
［比較例１、２］
トリガー式スプレー容器１の一吹き当たりの噴霧量、トリガーの長さ、吐出口の口径、一吹き当たりの噴霧時間、被洗浄面の水平方向における一吹きでの噴霧範囲、噴霧後の放置時間、及び液体洗浄剤の種類を表１及び表２に示すように変更した以外は、実施例１と同様にして浴槽内の被洗浄面を洗浄した。
【００６３】
［評価方法］
（１）洗浄作業の負担度
１０人のモニターに、洗浄作業終了後に洗浄作業の負担度について下記の５段階評価をしてもらい、その平均値から洗浄作業の負担度を評価した。
＜５段階評価＞
４点：比較例２に比べて負担が著しく軽減される。
３点：比較例２に比べて負担がかなり軽減される。
２点：比較例２に比べて負担が軽減される。
１点：比較例２に比べて負担がやや軽減される。
０点：比較例２と負担が同等。
−１点：比較例２に比べて負担が増加する。
＜評価基準＞
◎◎◎：１０人の平均点が３．５以上。
◎◎：１０人の平均点が２．５〜３．４点。
◎：１０人の平均点が１．５〜２．４点。
○：１０人の平均点が０．５〜１．４点。
△：１０人の平均点が０．１〜０．４点。
×：１０人の平均点が０．１点未満。
【００６４】
（２）洗浄力
洗浄後の浴槽内の被洗浄面（４つの内壁面と底面の計５面）について、汚れの除去状態を目視及び指触により確認し、下記の評価基準で洗浄力を評価した。
＜評価基準＞
◎：５つの被洗浄面全てで目視による汚れが観察されず、つるつるとした指触が得られ、汚れ落ちが非常に良好である。
○：少なくとも１つの被洗浄面でざらざらとした指触を感じるが、目視による汚れが観察されず、つるつるとした指触が得られる被洗浄面が１つ以上あり、汚れ落ちが良好である。
△：目視による汚れ及びざらざらとした指触は洗浄前より軽減されているが、５つの被洗浄面全てで目視による汚れが観察され、ざらざらとした指触を感じ、ほとんど汚れが落ちていない。
×：５つの被洗浄面全てで目視による汚れが観察され、ざらざらとした指触を感じ、目視による汚れ及びざらざらとした指触が洗浄前と変わらず、全く汚れが落ちていない。
【００６５】
（３）濯ぎ易さ
水道水での液体洗浄剤の濯ぎ洗いにおいて、濯ぎ洗い開始から、浴槽の排水口から泡が完全になくなるまでの濯ぎ時間を測定し、以下の基準で濯ぎ易さを評価した。
＜評価基準＞
◎：濯ぎ時間が４０秒未満。
○：濯ぎ時間が４０秒以上５０秒未満。
△：濯ぎ時間が５０秒以上６０秒未満。
×：濯ぎ時間が６０秒以上。
【００６６】
実施例及び比較例の各条件及び評価結果を表１及び表２に示す。
【００６７】
【表１】
2017225970.tif 000003
【００６８】
【表２】
2017225970.tif 000004
【００６９】
表１及び表２に示すように、本発明の洗浄方法により洗浄を行った実施例１〜２０では、充分な洗浄力が得られ、液体洗浄剤を濯ぎやすいうえ、一吹きでの水平方向の液体洗浄剤の噴霧範囲が５０ｃｍ未満の比較例２に比べて洗浄作業の負担が軽減された。また、一吹きでの水平方向の液体洗浄剤の噴霧範囲が５０〜１００ｃｍの範囲内である実施例１〜１９は、当該噴霧範囲が１００ｃｍ超の実施例２０に比べて、噴霧ムラが生じにくく、洗浄作業の負担がより軽減された。
一方、一吹きでの水平方向の液体洗浄剤の噴霧範囲が５０ｃｍ未満の比較例１では、一吹きの噴霧量を２ｍＬとしても、洗浄作業の負担がほとんど軽減されなかった。
【符号の説明】
【００７０】
１  トリガー式スプレー容器
１０  容器本体
１４  噴射部
１８  噴出部本体
２０  ノズル部
２０ａ  吐出口
２２  トリガー
【図１】
2017225970.tif 000005